(57)【要約】【課題】必要に応じて消費電力を大きく低減でき、コマ落ちや画像乱れを防止できる、他の成分と独立した復号プロセスで復号される複数の成分によって構成される画像データを復号して出力する画像出力装置を提供すること。【解決手段】電池１１０の出力電圧値が所定値を上回っている場合には、制御部１０８は、スイッチ１０４３をＯＮとし、スイッチ１０４８を端子Ｂに接続し、動画像処理部１０４の全ての構成要素を動作させる。一方、電池１１０の出力電圧値が所定値を下回っている場合には、制御部１０８は、スイッチ１０４３をＯＦＦとし、スイッチ１０４８を端子Ａに接続し、動画像処理部１０４の、色差再構成部１０４４と、色差フィルタ部１０４６と、色空間変換部１０４７とを停止させ、他の構成要素を動作させる。【選択図】図１
2008092353.tif 000002
【特許請求の範囲】
【請求項１】
他の成分と独立した復号プロセスで復号される複数の成分によって構成される画像データを復号して出力する画像出力装置であって、
複数の前記成分各々に対して特定される前記復号プロセスによって復号処理を行う複数の独立復号処理部と、
前記画像出力装置の状態を確認し、前記画像出力装置の状態によって定められる前記独立復号処理部各々の停止条件が満たされるときに、該停止条件が満たされる前記独立復号処理部を停止させる制御部とを有することを特徴とする画像出力装置。
【請求項２】
電池によって電源が供給され、
前記電池の残量を計測する計測部を有し、
前記独立復号処理部各々の前記停止条件は、前記電池の残量によって定められることを特徴とする請求項１に記載の画像出力装置。
【請求項３】
前記画像データの復号遅延時間を計算する計算部を有し、
前記独立復号処理部各々の前記停止条件は、前記画像データの復号遅延時間によって定められることを特徴とする請求項１に記載の画像出力装置。
【請求項４】
複数の前記成分は、画素の輝度成分と画素の色差成分とであり、
前記制御部は、前記画像出力装置の状態に応じて、
前記画素の輝度成分の前記独立復号処理部と、前記画素の色差成分の前記独立復号部処理部とが共に動作する状態と、
前記画素の輝度成分の前記独立復号処理部が動作し、前記画素の色差成分の前記独立復号部処理部が停止する状態との２状態を切り換えることを特徴とする請求項１から３のいずれかに記載の画像出力装置。
【請求項５】
請求項１から４のいずれかに記載の画像出力装置を有することを特徴とする携帯用画像表示機器。
【請求項６】
他の成分と独立した復号プロセスで復号される複数の成分によって構成される画像データを復号して出力する画像出力装置の動作を制御するプログラムであって、
前記画像出力装置の状態を確認する第１ステップと、
前記画像出力装置の状態によって定められる、複数の前記成分各々に対して特定される前記復号プロセスのスキップ条件が満たされるか否かを判定する第２ステップと、
前記スキップ条件が満たされる前記成分に対して特定される前記復号プロセスをスキップさせる第３ステップとを有することを特徴とするプログラム。
【発明の詳細な説明】
【技術分野】
【０００１】
本発明は、他の成分と独立した復号プロセスで復号される複数の成分によって構成される画像データを復号して出力する画像出力装置に関する。また、本発明は、そのような画像出力装置を有する携帯用画像表示機器に関する。また、本発明は、そのような画像出力装置の動作を制御するプログラムに関する。
【背景技術】
【０００２】
近年、テレビジョン放送の視聴機能やテレビ電話機能を有する携帯電話に代表される、画像出力が可能な小型の携帯機器が普及してきている。
【０００３】
一般的に、画像データの処理プロセスは、テキストデータなどの処理プロセスと比べて複雑であり、消費電力も大きい。そのため、電池によって駆動する機器が画像データの処理を行うと、該機器の駆動時間が短くなるという問題が発生する。
【０００４】
この問題に対処するための発明として、特許文献１に記載の通信端末装置が知られている。図５は、特許文献１に記載の、地上波ディジタル放送の視聴が可能な通信端末装置９００の概略の構成を示すブロック図である。なお、図５においては、特許文献１に記載の通信端末装置の構成要素のうち、地上波ディジタル放送の動画像データを受信してから動画像を表示するまでの流れに関わる構成要素のみを抽出して示している。
【０００５】
通信端末装置９００は、アンテナ９０１と、ＯＦＤＭ（Orthogonal Frequency Division Multiplexing）復調部９０２と、受信メモリ部９０３と、動画像処理部９０４と、表示メモリ部９０５と、表示制御部９０６と、表示部９０７と、画質制御部９０８と、計測部９０９と、電池９１０とを有している。
【０００６】
通信端末装置９００による、地上波ディジタル放送の動画像データを受信してから動画像を表示するまでの処理の流れは以下の通りである。まず、アンテナ９０１が地上波ディジタル放送の動画像データを受信し、ＯＦＤＭ復調部９０２へ伝達する。ＯＦＤＭ復調部９０２は、アンテナ９０１から伝達された地上波ディジタル放送の動画像データに対するＯＦＤＭ復調を施し、得られた動画像データを受信メモリ部９０３へ伝達する。
【０００７】
受信メモリ部９０３は、ＯＦＤＭ復調部９０２から伝達された動画像データをメモリに記憶する。動画像処理部９０４は、受信メモリ部９０３のメモリに記憶された動画像データを取り込み、該動画像データに対する各種動画像処理を施し、得られた画素情報（Ｒ成分、Ｇ成分、Ｂ成分）を表示メモリ部９０５へ伝達する。
【０００８】
表示メモリ部９０５は、動画像処理部９０４から伝達された画素情報をメモリに記憶する。表示制御部９０６は、表示メモリ部９０５のメモリに記憶された画素情報を定期的に読み出して、表示部９０７へ伝達する。表示部９０７は、表示制御部９０６から伝達された画素情報を基に、動画像を表示する。
【０００９】
ここで、表示制御部９０６には画質制御部９０８が、画質制御部９０８には計測部９０９が、計測部９０９には電池９１０が、各々接続されている。電池９１０は、通信端末装置９００に電源を供給する。計測部９０９は、電池９１０の出力電圧値を所定の時間間隔で計測し、これを画質制御部９０８に伝達する。
【００１０】
画質制御部９０８は、計測部９０９から伝達された電池９１０の出力電圧値が所定値以下である場合に、表示部９０７に表示する動画像の解像度を粗くする、あるいは表示部９０７に表示する動画像のフレーム数を削減する旨の指令を表示制御部９０６に伝達する。表示制御部９０６は、画質制御部９０８からの指令に応じて、表示部９０７に表示する動画像の解像度を粗くする、あるいは表示部９０７に表示する動画像のフレーム数を削減する制御を行う。
【００１１】
上記構成の通信端末装置９００によると、表示制御部９０６は、電池９１０の出力電圧値が所定値以下である場合に、表示部９０７に表示する動画像の解像度を粗くする、あるいは表示部９０７に表示する動画像のフレーム数を削減する制御を行うので、表示部９０７の消費電力を低減させることができる。電池９１０の出力電圧値が所定値を下回っている場合には、電池９１０の残量が十分でないので、表示部９０７の消費電力を低減させることによって、電話やメールの送受信ができなくなる事態を未然に防止することができる。また、ユーザは、動画像視聴中に、電池９１０の残量が少なくなったことを視認できることとなるので、電池９１０の電池切れによって電話やメールの送受信ができなくなることを防止するために、地上波ディジタル放送の視聴を停止するなどの対策をとることができる。
【特許文献１】特開２００５−１０９６１６号公報
【発明の開示】
【発明が解決しようとする課題】
【００１２】
ところで、現在、テレビ電話などにおける動画像圧縮に利用されている動画像圧縮方式として、ＩＳＯ（International Organization for Standardization）よって策定されたＭＰＥＧ（Motion Picture Experts Group）４方式が知られている。また、携帯機器向け地上波ディジタル放送などにおける動画像圧縮に利用されている動画像圧縮方式として、ＩＴＵ−Ｔ（International Telecommunications Union-Telecommunications Standardization Sector）によって策定されたＨ．２６４方式が知られている。
【００１３】
ここで、通信端末装置９００のように、ＭＰＥＧ４方式やＨ．２６４方式などの動画像圧縮方式で圧縮された動画像データを復号して出力する場合には、動画像処理部９０４の処理プロセスが非常に複雑であり、消費電力が大きい。しかしながら、特許文献１に記載の通信端末装置９００においては、電池９１０の残量が少なくなった場合に、表示部９０７の消費電力を低減しているのみであり、動画像処理部９０４の消費電力の低減については考慮されておらず、消費電力の低減効果は限定的である。
【００１４】
また、通信端末装置９００のように、電池９１０で駆動し、動画像出力を行う携帯機器においては、駆動時間を延ばすために、動画像処理部９０４の能力を低めに設定することがある。例えば、動画像処理部９０４の動作クロックを低く設定すると、消費電力が抑えられるので、駆動時間を延ばすことができる。
【００１５】
しかしながら、動画像処理部９０４の能力を低めに設定した場合、一時的に多量の動画像データを処理する必要があるときに、動画像処理部９０４による動画像データの処理が追いつかず、コマ落ちや画像乱れが発生するという問題がある。特に、動画像の中でシーンが変わるような場面では、一つのフレームに多量のデータ量が割り当てられることがあり、コマ落ちや画像乱れが発生しやすくなる。
【００１６】
上記の問題点を鑑みて、本発明においては、必要に応じて消費電力を大きく低減でき、コマ落ちや画像乱れを防止できる、他の成分と独立した復号プロセスで復号される複数の成分によって構成される画像データを復号して出力する画像出力装置を提供することを目的とする。また、本発明の他の目的は、そのような画像出力装置を有する携帯用画像表示機器を提供することである。また、本発明の他の目的は、そのような画像出力装置の動作を制御するプログラムを提供することである。
【課題を解決するための手段】
【００１７】
本発明においては、画像出力装置は、他の成分と独立した復号プロセスで復号される複数の成分によって構成される画像データを復号して出力する画像出力装置であって、複数の前記成分各々に対して特定される前記復号プロセスによって復号処理を行う複数の独立復号処理部と、前記画像出力装置の状態を確認し、前記画像出力装置の状態によって定められる前記独立復号処理部各々の停止条件が満たされるときに、該停止条件が満たされる前記独立復号処理部を停止させる制御部とを有することを特徴とする。
【００１８】
本発明においては、上記構成の画像出力装置において、電池によって電源が供給され、前記電池の残量を計測する計測部を有し、前記独立復号処理部各々の前記停止条件は、前記電池の残量によって定められることが望ましい。
【００１９】
本発明においては、上記構成の画像出力装置において、前記画像データの復号遅延時間を計算する計算部を有し、前記独立復号処理部各々の前記停止条件は、前記画像データの復号遅延時間によって定められることが望ましい。
【００２０】
本発明においては、上記構成の画像出力装置において、複数の前記成分は、画素の輝度成分と画素の色差成分とであり、前記制御部は、前記画像出力装置の状態に応じて、前記画素の輝度成分の前記独立復号処理部と、前記画素の色差成分の前記独立復号部処理部とが共に動作する状態と、前記画素の輝度成分の前記独立復号処理部が動作し、前記画素の色差成分の前記独立復号部処理部が停止する状態との２状態を切り換えることとしてもよい。
【００２１】
本発明においては、携帯用画像表示機器は、上記構成の画像出力装置を有することを特徴とする。
【００２２】
本発明においては、プログラムは、他の成分と独立した復号プロセスで復号される複数の成分によって構成される画像データを復号して出力する画像出力装置の動作を制御するプログラムであって、前記画像出力装置の状態を確認する第１ステップと、前記画像出力装置の状態によって定められる、複数の前記成分各々に対して特定される前記復号プロセスのスキップ条件が満たされるか否かを判定する第２ステップと、前記スキップ条件が満たされる前記成分に対して特定される前記復号プロセスをスキップさせる第３ステップとを有することを特徴とする。
【発明の効果】
【００２３】
本発明の画像出力装置は、画像出力装置の状態によって定められる独立復号処理部各々の停止条件が満たされるときに、該停止条件が満たされる独立復号処理部を停止させる制御部を有するので、必要に応じて消費電力を大きく低減できることとなる。
【００２４】
例えば、独立復号処理部各々の停止条件を電池の残量によって定めると、電池の残量が十分ある場合には全ての独立復号処理部を動作させ、電池の残量が十分でない場合には幾つかの独立復号処理部を停止させる制御ができることとなる。そのため、電池の残量が十分ある場合には質の高い画像の出力ができ、電池の残量が十分でない場合には消費電力の低減ができ、駆動時間の延長ができる。
【００２５】
また、独立復号処理部各々の停止条件を画像データの復号遅延時間によって定めると、十分な処理能力がある場合（復号遅延時間が絶対値の十分大きい負の値である場合）には全ての独立復号処理部を動作させ、十分な処理能力がない場合（復号遅延時間が絶対値の十分大きい負の値でない場合）には幾つかの独立復号処理部を停止させる制御ができることとなる。そのため、十分な処理能力がある場合には質の高い画像の出力ができ、十分な処理能力がない場合には処理量の低減ができ、コマ落ちや画像乱れを防止できる。そして、画像出力装置の処理能力不足に起因するコマ落ちや画像乱れを防止できることから、画像出力装置の画像処理能力を低く設定することができ、画像出力装置の消費電力の低減ができ、駆動時間の延長ができる。
【００２６】
また、本発明によると、上記の効果を奏する画像出力装置を有する携帯用画像表示機器が提供される。また、本発明によると、上記の効果を奏する画像出力装置の動作を制御するプログラムが提供される。
【発明を実施するための最良の形態】
【００２７】
本発明の実施形態について、図面を用いて説明すれば以下の通りである。
【００２８】
（第１の実施形態）
図１は、本発明の第１の実施形態に係る画像出力装置１００の概略の構成を示すブロック図である。画像出力装置１００は、メモリカード１０１に記録された、輝度成分（Ｙ成分）と色差成分（Ｃｂ成分、Ｃｒ成分）とによって構成される、ＭＰＥＧ４方式又はＨ．２６４方式で圧縮された動画像データを復号して表示するものとする。
【００２９】
画像出力装置１００は、読み出し部１０２と、読み出しメモリ部１０３と、動画像処理部１０４と、表示メモリ部１０５と、表示制御部１０６と、表示部１０７と、制御部１０８と、計測部１０９と、電池１１０とを有している。
【００３０】
画像出力装置１００による、メモリカード１０１に記録された動画像データを読み出してから動画像を表示するまでの処理の流れは以下の通りである。まず、読み出し部１０２がメモリカード１０１に記録された動画像データを読み出し、読み出しメモリ部１０３へ伝達する。
【００３１】
読み出しメモリ部１０３は、読み出し部１０２から伝達された動画像データをメモリに記憶する。動画像処理部１０４は、読み出しメモリ部１０３のメモリに記憶された動画像データを取り込み、該動画像データに対する各種動画像処理を施し、得られた画素情報を表示メモリ部１０５へ伝達する。
【００３２】
表示メモリ部１０５は、動画像処理部１０４から伝達された画素情報をメモリに記憶する。表示制御部１０６は、表示メモリ部１０５のメモリに記憶された画素情報を定期的に読み出して、表示部１０７へ伝達する。表示部１０７は、表示制御部１０６から伝達された画素情報を基に、動画像を表示する。
【００３３】
ここで、動画像処理部１０４には制御部１０８が、制御部１０８には計測部１０９が、計測部１０９には電池１１０が、各々接続されている。電池１１０は、画像出力装置１００に電源を供給する。計測部１０９は、所定の時間間隔で電池１１０の出力電圧値を計測し、これを制御部１０８に伝達する。制御部１０８は、電池１１０の出力電圧値が所定値を上回っているか否かに応じて、動画像処理部１０４に対する各種の制御を行う。
【００３４】
また、動画像処理部１０４は、その構成要素として、可変長符号復号部１０４１と、輝度再構成部１０４２と、スイッチ１０４３と、色差再構成部１０４４と、輝度フィルタ部１０４５と、色差フィルタ部１０４６と、色空間変換部１０４７と、スイッチ１０４８とを有している。
【００３５】
次に、電池１１０の出力電圧値が所定値を上回っている場合の、動画像処理部１０４による動画像処理の詳細について説明する。ここで、電池１１０の出力電圧値が所定値を上回っている場合、制御部１０８は、スイッチ１０４３をＯＮとし、スイッチ１０４８を端子Ｂに接続し、動画像処理部１０４の全ての構成要素を動作させる。
【００３６】
ＭＰＥＧ４方式やＨ．２６４方式によって圧縮された動画像データは、画素の各成分（Ｙ成分、Ｃｂ成分、Ｃｒ成分）の、圧縮対象情報と予測対象情報との差分情報のＤＣＴ（Discrete Cosine Transform）変換及び量子化によって得られた係数情報や、動きベクトルなどの予測情報などが多重化され、可変長符号化されたものである。したがって、ＭＰＥＧ４方式やＨ．２６４方式で圧縮された動画像データを復号する際には、まず、可変長符号の復号を行う必要がある。
【００３７】
そのため、動画像処理部１０４は、読み出しメモリ部１０３のメモリに記憶された動画像データを取り込むと、可変長符号復号部１０４１によって、可変長符号の復号処理を行う。ここで、可変長符号としては、ハフマン符号、ハフマンテーブルを用いた符号、算術符号、ＺＬ（Ziv-Lempel）符号、ＡＩＣ（Akaike Information Criterion）原理に基づく符号、ＭＤＬ（Minimum Description Length）原理に基づく符号、ベイズ符号などが知られている。
【００３８】
ＭＰＥＧ４方式やＨ．２６４方式で圧縮された動画像データに対して、可変長符号復号部１０４１によって可変長符号の復号処理を行うと、各成分（Ｙ成分、Ｃｂ成分、Ｃｒ成分）の係数情報や予測情報などが得られる。そして、可変長符号復号部１０４１は、Ｙ成分の係数情報や予測情報などを輝度再構成部１０４２へ伝達し、Ｃｂ成分、Ｃｒ成分の係数情報や予測情報などを色差再構成部１０４４へ伝達する。
【００３９】
輝度再構成部１０４２は、Ｙ成分の係数情報に対して逆量子化及び逆ＤＣＴ変換を施すことによって、画素のＹ成分の差分情報を得る。そして、画素のＹ成分の差分情報及び予測情報から、画素のＹ成分情報を得て、これを輝度フィルタ部１０４５へ伝達する。色差再構成部１０４４は、Ｃｂ成分、Ｃｒ成分の係数情報に対して逆量子化及び逆ＤＣＴ変換を施すことによって、画素のＣｂ成分の差分情報、Ｃｒ成分の差分情報を得る。そして、画素のＣｂ成分の差分情報、Ｃｒ成分の差分情報及び予測情報から、画素のＣｂ成分情報、Ｃｒ成分情報を得て、これを色差フィルタ部１０４６へ伝達する。
【００４０】
輝度フィルタ部１０４５は、輝度再構成部１０４２から伝達された画素のＹ成分情報に対して、縦横２方向のフィルタ処理を行うことで、量子化に起因する圧縮ノイズの低減処理を行い、得られた画素のＹ成分情報を色空間変換部１０４７へ伝達する。色差フィルタ部１０４６は、色差再構成部１０４４から伝達された画素のＣｂ成分情報、Ｃｒ成分情報に対して、縦横２方向のフィルタ処理を行うことで、量子化に起因する圧縮ノイズの低減処理を行い、得られた画素のＣｂ成分情報、Ｃｒ成分情報を色空間変換部１０４７へ伝達する。
【００４１】
色空間変換部１０４７は、輝度フィルタ部１０４５から伝達された画素のＹ成分情報、及び、色差フィルタ部１０４６から伝達された画素のＣｂ成分情報、Ｃｒ成分情報から、画素のＲ成分情報、Ｇ成分情報、Ｂ成分情報を得て、これを表示メモリ部１０５へ伝達する。
【００４２】
次に、電池１１０の出力電圧値が所定値を下回っている場合の、動画像処理部１０４による動画像処理の詳細について説明する。電池１１０の出力電圧値が所定値を下回っている場合、制御部１０８は、スイッチ１０４３をＯＦＦとし、スイッチ１０４８を端子Ａに接続し、動画像処理部１０４の構成要素のうち、色差再構成部１０４４と、色差フィルタ部１０４６と、色空間変換部１０４７との動作を停止させ、他の構成要素を動作させる。
【００４３】
この場合、動画像処理部１０４は、読み出しメモリ部１０３のメモリに記憶された動画像データを取り込むと、可変長符号復号部１０４１によって、可変長符号の復号処理を行う。そして、可変長符号復号部１０４１は、Ｙ成分の係数情報や予測情報などを輝度再構成部１０４２へ伝達する一方、スイッチ１０４３がＯＦＦされていることから、Ｃｂ成分、Ｃｒ成分の係数情報や予測情報などの色差再構成部１０４４への伝達は行わない。
【００４４】
輝度再構成部１０４２は、Ｙ成分の係数情報に対して逆量子化及び逆ＤＣＴ変換を施すことによって、画素のＹ成分の差分情報を得る。そして、画素のＹ成分の差分情報及び予測情報から、画素のＹ成分情報を得て、これを輝度フィルタ部１０４５へ伝達する。輝度フィルタ部１０４５は、輝度再構成部１０４２から伝達された画素のＹ成分情報に対して、縦横２方向のフィルタ処理を行うことで、量子化に起因する圧縮ノイズの低減処理を行い、得られた画素のＹ成分情報を表示メモリ部１０５へ伝達する。
【００４５】
以上の制御部１０８による動画像処理部１０４に対する制御手順について、以下で説明する。図２は、制御部１０８による動画像処理部１０４に対する制御手順を示すフローチャートである。制御部１０８は、動画像処理中には（Ｓ１０１）、計測部１０９から伝達される電池１１０の出力電圧値を監視する（Ｓ１０２）。
【００４６】
電池１１０の出力電圧値が所定値を上回っている場合には、制御部１０８は、スイッチ１０４３をＯＮとし、スイッチ１０４８を端子Ｂに接続し、動画像処理部１０４の全ての構成要素を動作させ、リターンする（Ｓ１０３、Ｓ１０４）。
【００４７】
一方、Ｓ１０２において、電池１１０の出力電圧値が所定値を下回っている場合には、制御部１０８は、スイッチ１０４３をＯＦＦとし、スイッチ１０４８を端子Ａに接続し、動画像処理部１０４の構成要素のうち、色差再構成部１０４４と、色差フィルタ部１０４６と、色空間変換部１０４７との動作を停止させ、他の構成要素を動作させ、リターンする（Ｓ１０５、Ｓ１０４）。
【００４８】
以上より、電池１１０の出力電圧値が所定値を上回っている場合には、動画像処理部１０４の全ての構成要素を動作させることとなり、消費電力は大きいが、表示部１０７にカラー動画像を表示させることができる。電池１１０の出力電圧値が所定値を上回っている場合には、電池１１０の残量は十分なので、カラー動画像を楽しむメリットが消費電力の低減によるメリットを上回ることから、このような制御が有効である。
【００４９】
また、電池１１０の出力電圧値が所定値を下回っている場合には、動画像処理部１０４の構成要素のうち、色差再構成部１０４４と、色差フィルタ部１０４６と、色空間変換部１０４７との動作を停止させることとなり、表示部１０７には白黒動画像が表示されることとなるが、画像出力装置１００の消費電力を低減させることができる。電池１１０の出力電圧値が所定値を下回っている場合には、電池１１０の残量が十分でないので、画像出力装置１００の消費電力を低減させることによるメリットが大きい。
【００５０】
具体的には、例えば、画像出力装置１００が通信端末装置に備えられており、電池１１０が通信端末装置全体に電源を供給している場合には、画像出力装置１００の消費電力を低減させることで、電話やメールの送受信ができなくなる事態を未然に防止することができる。また、表示部１０７に白黒動画像が表示されることで、ユーザは電池１１０の残量が少なくなったことを視認でき、充電などの迅速な対応をとることができる。
【００５１】
なお、電池１１０の出力電圧値の所定値は、ユーザによって設定できるものとしてもよい。この場合には、画像出力装置１００は、電池１１０の出力電圧値の所定値を入力する入力部を有するものとすればよい。
【００５２】
（第２の実施形態）
次に、本発明の第２の実施形態について説明する。図３は、本発明の第２の実施形態に係る画像出力装置２００の概略の構成を示すブロック図である。画像出力装置２００は、輝度成分（Ｙ成分）と色差成分（Ｃｂ成分、Ｃｒ成分）とによって構成される、Ｈ．２６４方式で圧縮されたワンセグ放送の動画像データを受信し、復号して表示するものとする。ここで、ワンセグ放送とは、ＡＲＩＢ（Association of Radio Industries and Businesses）によって策定された、携帯機器向けテレビ放送のことである。
【００５３】
画像出力装置２００は、アンテナ２０１と、ＯＦＤＭ復調部２０２と、受信メモリ部２０３と、動画像処理部２０４と、表示メモリ部２０５と、表示制御部２０６と、表示部２０７と、制御部２０８（計算部）と、ＳＴＣ（System Time Clock）２０９とを有している。
【００５４】
画像出力装置２００による、ワンセグ放送の動画像データを受信してから動画像を表示するまでの処理の流れは以下の通りである。まず、アンテナ２０１がワンセグ放送の動画像データを受信し、ＯＦＤＭ復調部２０２へ伝達する。ＯＦＤＭ復調部２０２は、アンテナ２０１から伝達されたワンセグ放送の動画像データに対するＯＦＤＭ復調を施し、得られた動画像データを受信メモリ部２０３へ伝達する。
【００５５】
受信メモリ部２０３は、ＯＦＤＭ復調部２０２から伝達された動画像データをメモリに記憶する。動画像処理部２０４は、受信メモリ部２０３のメモリに記憶された動画像データを取り込み、該動画像データに対する各種動画像処理を施し、得られた画素情報を表示メモリ部２０５へ伝達する。
【００５６】
表示メモリ部２０５は、動画像処理部２０４から伝達された画素情報をメモリに記憶する。表示制御部２０６は、表示メモリ部２０５のメモリに記憶された画素情報を定期的に読み出して、表示部２０７へ伝達する。表示部２０７は、表示制御部２０６から伝達された画素情報を基に、動画像を表示する。
【００５７】
ここで、動画像処理部２０４には制御部２０８が、制御部２０８にはＳＴＣ２０９が、各々接続されている。ＳＴＣ２０９は時刻を刻むカウンタである。制御部２０８は、ＳＴＣ２０９からの時刻情報を定期的に読み出し、また、動画像処理部２０４に対する各種の制御を行う。
【００５８】
また、動画像処理部２０４は、その構成要素として、可変長符号復号部２０４１と、輝度再構成部２０４２と、スイッチ２０４３と、色差再構成部２０４４と、輝度フィルタ部２０４５と、色差フィルタ部２０４６と、色空間変換部２０４７と、スイッチ２０４８とを有している。なお、この動画像処理部２０４の各構成要素は、第１の実施形態に係る動画像処理部１０４の各構成要素と同一のものである。
【００５９】
次に、制御部２０８による動画像処理部２０４に対する各種の制御の詳細について説明する。ワンセグ放送の動画像データにおいては、１フレームごとに、該フレームが表示されるべき時刻を示すＰＴＳ（Presentation Time Stamp）と呼ばれる情報が付加されている。制御部２０８は、各フレームのＰＴＳとＳＴＣ２０９からの時刻情報とを比較することにより、画素情報を表示メモリ部２０５に伝達する時刻を調整する。これによって、ワンセグ放送の動画像が表示部２０７に適切に表示されることとなる。
【００６０】
また、制御部２０８は、動画像データの復号遅延時間の計算及びそれに伴う動画像処理部２０４に対する制御を行う。以下にこの詳細を説明する。
【００６１】
図４は、制御部２０８による動画像処理部２０４に対する制御手順を示すフローチャートである。制御部２０８は、動画像処理中には（Ｓ２０１）、動画像処理部２０４に、受信メモリ部２０３のメモリに記憶された動画像データを取り込ませる（Ｓ２０２）。１フレーム分のデータが取り込まれるまでは、制御部２０８は、動画像処理部２０４に、動画像データの取り込みを続けさせる（Ｓ２０３）。
【００６２】
１フレーム分のデータが取り込まれると、制御部２０８は、可変長符号復号部２０４１に可変長符号の復号処理を行わせ、得られたＹ成分の係数情報や予測情報などを輝度再構成部２０４２へ伝達させる（Ｓ２０４）。
【００６３】
次に、制御部２０８は、輝度再構成部２０４２に、可変長符号復号部２０４１から伝達されたＹ成分の係数情報や予測情報などから、画素のＹ成分情報を計算させ、これを輝度フィルタ部２０４５へ伝達させる（Ｓ２０５）。次に、制御部２０８は、輝度フィルタ部２０４５に、輝度再構成部２０４２から伝達された画素のＹ成分情報に対する圧縮ノイズの低減処理を行わせる（Ｓ２０６）。
【００６４】
次に、制御部２０８は、ＳＴＣ２０９からの時刻情報を読み出し、処理中のフレームのＰＴＳと比較することによって、復号遅延が生じているかどうかを検出する（Ｓ２０７）。具体的には、この時点で、処理中のフレームが表示されるべき時刻を過ぎている場合に、復号遅延が生じていると判定する。あるいは、色差再構成部２０４４と、色差フィルタ部２０４６と、色空間変換部２０４７と、表示メモリ部２０５と、表示制御部２０６と、表示部２０７とにおける処理にかかる時間を推定することによって処理中のフレームの推定表示可能時刻を算出し、該推定表示可能時刻が、処理中のフレームが表示されるべき時刻を過ぎている場合に、復号遅延が生じていると判定してもよい。
【００６５】
ここで、復号遅延が生じている場合には、制御部２０８は、スイッチ２０４３をＯＦＦとし、スイッチ２０４８を端子Ａに接続し、動画像処理部２０４の構成要素のうち、色差再構成部２０４４と、色差フィルタ部２０４６と、色空間変換部２０４７との動作を停止させ、他の構成要素を動作させる（Ｓ２０８）。そして、輝度フィルタ部２０４５で得られた画素のＹ成分情報を表示メモリ部２０５へ伝達させ、リターンする（Ｓ２０９、Ｓ２１０）。
【００６６】
一方、Ｓ２０７において復号遅延が生じていない場合には、制御部２０８は、スイッチ２０４３をＯＮとし、スイッチ２０４８を端子Ｂに接続し、動画像処理部２０４の全ての構成要素を動作させる（Ｓ２１１）。そして、制御部２０８は、Ｓ２０４における、可変長符号復号部２０４１による可変長符号の復号処理によって得られている、Ｃｂ成分、Ｃｒ成分の係数情報や予測情報などを色差再構成部２０４４へ伝達させ、色差再構成部２０４４に、可変長符号復号部２０４１から伝達されたＣｂ成分、Ｃｒ成分の係数情報や予測情報などから、画素のＣｂ成分情報、Ｃｒ成分情報を計算させ、これを色差フィルタ部２０４６へ伝達させる（Ｓ２１２）。
【００６７】
次に、制御部２０８は、色差フィルタ部２０４６に、色差再構成部２０４４から伝達された画素のＣｂ成分情報、Ｃｒ成分情報に対する圧縮ノイズの低減処理を行わせ、得られた画素のＣｂ成分情報、Ｃｒ成分情報を色空間得変換部２０４７へ伝達させる（Ｓ２１３）。そして、制御部２０８は、Ｓ２０６における、輝度フィルタ部２０４５による、輝度再構成部２０４２から伝達された画素のＹ成分情報に対する圧縮ノイズの低減処理によって得られている、画素のＹ成分情報を色空間変換部２０４７へ伝達させ、色空間変換部２０４７に、輝度フィルタ部２０４５から伝達された画素のＹ成分情報及び色差フィルタ部２０４６から伝達された画素のＣｂ成分情報、Ｃｒ成分情報から、画素のＲ成分情報、Ｇ成分情報、Ｂ成分情報を計算させる（Ｓ２１４）。
【００６８】
そして、色空間変換部２０４７で得られた画素のＲ成分情報、Ｇ成分情報、Ｂ成分情報を表示メモリ部２０５へ伝達させ、リターンする（Ｓ２０９、Ｓ２１０）。
【００６９】
以上より、復号遅延が生じていない場合には、動画像処理部２０４の全ての構成要素を動作させることとなり、復号に必要な処理量は大きいが、表示部２０７にカラー動画像を表示させることができる。復号遅延が生じていない場合には、動画像処理部２０４の処理能力が十分なので、カラー動画像を楽しむメリットが処理量の低減によるメリットを上回ることから、このような制御が有効である。
【００７０】
また、復号遅延が生じている場合には、動画像処理部２０４の、色差再構成部２０４４と、色差フィルタ部２０４６と、色空間変換部２０４７とを停止させることとなり、表示部２０７には白黒動画像が表示されることとなるが、処理量を低減させることができる。復号遅延が生じている場合には、動画像処理部２０４の処理能力が十分でないので、処理量を低減させることで、コマ落ちや画像乱れを防止でき、また、表示部２０７に白黒動画像が表示されることで、ユーザは復号遅延が生じていることを視認でき、迅速な対応をとることができる。そして、動画像処理部２０４の処理能力不足に起因するコマ落ちや画像乱れを防止できることから、動画像処理部２０４の動作クロックを低く設定するなどして動画像処理部２０４の処理能力を低く設定することができ、動画像処理部２０４の消費電力の低減ができ、駆動時間の延長ができる。
【００７１】
なお、上記の実施形態においては、動画像処理部２０４は、画素の輝度成分に関する処理と、画素の色差成分に関する処理とを直列に行う構成としたが、並列に行う構成とすることもできる。この場合、制御部２０８は、動画像処理部２０４に、輝度フィルタ部２０４５あるいは色空間変換部２０４７で得られた画素情報を表示メモリ部２０５へ伝達させる直前あるいは伝達させた直後に、復号遅延が生じているか否かを判定することとすればよい。この場合には、復号遅延の有無に応じた制御の影響は、次のフレームを処理する際に現れることとなる。
【００７２】
また、上記の実施形態においては、復号遅延の有無に応じて制御部２０８の制御手順を変えることとしたが、復号遅延時間（負の値も取り得ることとする）がある所定値を超えた場合に制御部２０８の制御手順を変えることとしてもよい。また、その場合には、復号遅延時間の所定値は、ユーザによって設定できるものとしてもよい。この場合には、画像出力装置２００は、復号遅延時間の所定値を入力する入力部を有するものとすればよい。
【００７３】
なお、本発明は上記の実施形態に限定されず、本発明の趣旨を逸脱しない範囲で、種々の変更が可能である。例えば、上記第１の実施形態の計測部１０９と、電池１１０と、上記第２の実施形態のＳＴＣ２０９と、制御部とを有し、制御部が、電池残量及び復号遅延を各々判定し、いずれかの停止条件が満たされるときに、色差再構成部と、色差フィルタ部と、色空間変換部とを停止させる画像出力装置を構成することもできる。
【００７４】
また、画像出力装置は、動画像データを復号して出力するものでなくともよく、他の成分と独立した復号プロセスで復号される複数の成分によって構成される静止画像データを復号して出力する画像出力装置であってもよい。
【産業上の利用可能性】
【００７５】
本発明は、他の成分と独立した復号プロセスで復号される複数の成分によって構成される画像データを復号して出力する画像出力装置として有効である。また、本発明は、そのような画像出力装置を有する携帯用画像表示機器として有効である。また、本発明は、そのような画像出力装置の動作を制御するプログラムとして有効である。
【図面の簡単な説明】
【００７６】
【図１】本発明の第１の実施形態に係る画像出力装置１００の概略の構成を示すブロック図。
【図２】制御部１０８による動画像処理部１０４に対する制御手順を示すフローチャート。
【図３】本発明の第２の実施形態に係る画像出力装置２００の概略の構成を示すブロック図。
【図４】制御部２０８による動画像処理部２０４に対する制御手順を示すフローチャート。
【図５】特許文献１に記載の、地上波ディジタル放送の視聴が可能な通信端末装置９００の概略の構成を示すブロック図。
【符号の説明】
【００７７】
１００    画像出力装置
１０８    制御部
１０９    計測部
１１０    電池
２００    画像出力装置
２０８    制御部（計算部）
【図１】
2008092353.tif 000003
【図２】
2008092353.tif 000004
【図３】
2008092353.tif 000005
【図４】
2008092353.tif 000006
【図５】
2008092353.tif 000007